(57)【要約】【課題】無線端末が設置されている場所の無線ＬＡＮ環境が悪化した際，この場所の無線ＬＡＮ環境を改善することができるシステムを提供する。【解決手段】本発明に係る無線ＬＡＮアクセスポイント（ＡＰ）システム１では，ＡＰ２が測定した無線端末３の電波強度が規定値未満になると，無線端末３および無線ＬＡＮアクセスポイント２それぞれは位置情報を検出し，サーバ３は，無線端末３の電波強度が電波強度の許容範囲に収まる位置をＡＰ２の移動位置情報として算出する。ＡＰ２は移動機構を有し，無線ＬＡＮ環境が悪化した場所の無線ＬＡＮ環境を改善するために，サーバ３が算出した移動位置情報で示される位置に移動する。【選択図】図１
2015082667.tif 000002
【特許請求の範囲】
【請求項１】
無線ＬＡＮを構築する少なくとも一つの無線ＬＡＮアクセスポイントと，無線ＬＡＮを利用して前記無線ＬＡＮアクセスポイントにアクセスする少なくとも一つの無線端末と，有線ＬＡＮを利用して前記無線ＬＡＮアクセスポイントと接続しているサーバとから少なくとも構成される無線ＬＡＮアクセスポイントシステムであって，
前記無線端末は，前記無線端末の位置情報を検出する端末位置検出部と，前記無線ＬＡＮアクセスポイントからビーコン信号を受信すると，ビーコン信号に対応する応答を前記無線ＬＡＮアクセスポイントへ送信し，前記無線ＬＡＮアクセスポイントから位置情報の送信要求を受信すると，前記端末位置検出部を用いて検出した前記無線端末の位置情報を前記無線ＬＡＮアクセスポイントへ送信する端末制御部を備え，
前記無線ＬＡＮアクセスポイントは，前記無線ＬＡＮアクセスポイントの位置情報を検出するアクセスポイント位置検出部と，レールに沿って前記無線ＬＡＮアクセスポイントを移動させる移動機構部と，前記無線端末から受信した電波の電波強度を測定する電波強度測定部と，周期的にビーコン信号を発信し，前記無線端末からビーコン信号の応答を受信すると，前記電波強度測定部から電波強度を取得し，電波強度が規定値未満の前記無線端末がある場合，ビーコン信号の応答を送信した全ての前記無線端末に位置情報の送信要求を通知し，前記無線端末から前記無線端末の位置情報を受信すると，前記アクセスポイント位置検出部を用いて前記無線ＬＡＮアクセスポイントの位置情報を検出し，ビーコン信号の応答を送信した全ての前記無線端末の位置情報と電界強度並びに前記無線ＬＡＮアクセスポイントの位置情報を含む移動位置情報の算出要求を前記サーバに通知し，前記サーバから移動位置情報を受信すると，前記アクセスポイント位置検出部を利用し，前記無線ＬＡＮアクセスポイントの位置が前記サーバから受信した移動位置情報で示される位置に移動するように前記移動機構部を制御するアクセスポイント制御部を備え，
前記サーバは，前記無線ＬＡＮアクセスポイントから移動位置情報の算出要求が通知されると，移動位置情報の算出要求に含まれる前記無線端末の位置情報と電波強度並びに前記無線ＬＡＮアクセスポイントの位置情報から，前記無線ＬＡＮアクセスポイントを移動させた時の前記無線端末の電波強度全てが電波強度の許容範囲に収まる前記レール上の位置を移動位置情報として算出し，移動位置情報の算出要求を通知した前記無線ＬＡＮアクセスポイントへ移動位置情報を送信する移動位置算出部を備える，
ことを特徴とする無線ＬＡＮアクセスポイントシステム。
【発明の詳細な説明】
【技術分野】
【０００１】
本発明は，無線ＬＡＮの構築の用いる無線ＬＡＮアクセスポイントに係る発明で，更に詳しくは，無線ＬＡＮアクセスポイントにアクセスする無線端末が設置されている場所の無線ＬＡＮ環境を改善する技術に関する。
【背景技術】
【０００２】
ネットワーク技術の発展を受け，企業では、工場の各フロアに設置した生産装置を工場内ＬＡＮに接続し、生産数量などを生産装置から上位システムに送信できるようにしている。
【０００３】
生産装置を工場内ＬＡＮに接続する際，生産装置と工場内ＬＡＮをネットワークケーブルで接続すると，製品を搬送するフォークリフトやオペレータなどによって，生産装置と工場内ＬＡＮを接続するネットワークケーブルが断線する恐れがあるため，無線ＬＡＮアクセスポイント（以下，「ＡＰ」と記す。ＡＰは，Ｗｉｒｅｌｅｓｓ  ＬＡＮ  Ａｃｃｅｓｓ Ｐｏｉｎｔの略）を工場の各フロアに設置し，生産装置と工場内ＬＡＮを無線ＬＡＮで接続するケースが増えている。
【０００４】
生産装置と工場内ＬＡＮを無線ＬＡＮで接続することで，ネットワークケーブルの断線の心配はなくなるが，生産装置と接続している無線端末（例えば，パーソナルコンピュータ）が設置されている場所の無線ＬＡＮ環境が悪いと，生産装置と接続している無線端末はＡＰと安定したデータ通信が行えないため，無線端末が設置されている場所の無線ＬＡＮ環境が良好になる場所にＡＰを設置するようにしていた。
【０００５】
しかしながら，様々な物や人が工場のフロア内を移動するため、生産装置と接続している無線端末が設置されている場所の無線ＬＡＮ環境は時間で変化し、工場のフロア内の状況によっては，無線端末が設置されている場所の無線ＬＡＮ環境が一時的に悪化し，ＡＰと無線端末間で安定した通信ができないことがあった。
【０００６】
無線端末が設置されている場所の無線ＬＡＮ環境を改善する手法として，特許文献１の００１５段落に記載があるように，無線端末の電波から得られる電波強度に応じてＡＰの電波出力を調整することが考えられるが，ＡＰの電波出力の上限値は電波法で規定されており，ＡＰの電波出力を調整すると，ＡＰの電波出力が電波法で規定されている上限値を超えてしまう恐れがある。
【先行技術文献】
【特許文献】
【０００７】
【特許文献１】特開２０１０−２３３０６９号公報
【発明の概要】
【発明が解決しようとする課題】
【０００８】
そこで，本発明は，生産装置と接続している無線端末が設置されている場所の無線ＬＡＮ環境が悪化した際，ＡＰの電波出力を調整することなく，この場所の無線ＬＡＮ環境を改善することができるシステムを提供することを目的とする。
【課題を解決するための手段】
【０００９】
上述した課題を解決する本発明は，無線ＬＡＮを構築する少なくとも一つの無線ＬＡＮアクセスポイントと，無線ＬＡＮを利用して前記無線ＬＡＮアクセスポイントにアクセスする少なくとも一つの無線端末と，有線ＬＡＮを利用して前記無線ＬＡＮアクセスポイントと接続しているサーバとから少なくとも構成される無線ＬＡＮアクセスポイントシステムである。
【００１０】
本発明に係る前記無線端末は，前記無線端末の位置情報を検出する端末位置検出部と，前記無線ＬＡＮアクセスポイントからビーコン信号を受信すると，ビーコン信号に対応する応答を前記無線ＬＡＮアクセスポイントへ送信し，前記無線ＬＡＮアクセスポイントから位置情報の送信要求を受信すると，前記端末位置検出部を用いて検出した前記無線端末の位置情報を前記無線ＬＡＮアクセスポイントへ送信する端末制御部を備える。
【００１１】
また，本発明に係る前記無線ＬＡＮアクセスポイントは，前記無線ＬＡＮアクセスポイントの位置情報を検出するアクセスポイント位置検出部と，レールに沿って前記無線ＬＡＮアクセスポイントを移動させる移動機構部と，前記無線端末から受信した電波の電波強度を測定する電波強度測定部と，周期的にビーコン信号を発信し，前記無線端末からビーコン信号の応答を受信すると，前記電波強度測定部から電波強度を取得し，電波強度が規定値未満の前記無線端末がある場合，ビーコン信号の応答を送信した全ての前記無線端末に位置情報の送信要求を通知し，前記無線端末から前記無線端末の位置情報を受信すると，前記アクセスポイント位置検出部を用いて前記無線ＬＡＮアクセスポイントの位置情報を検出し，ビーコン信号の応答を送信した全ての前記無線端末の位置情報と電界強度並びに前記無線ＬＡＮアクセスポイントの位置情報を含む移動位置情報の算出要求を前記サーバに通知し，前記サーバから移動位置情報を受信すると，前記アクセスポイント位置検出部を利用し，前記無線ＬＡＮアクセスポイントの位置が前記サーバから受信した移動位置情報で示される位置に移動するように前記移動機構部を制御するアクセスポイント制御部を備える。
【００１２】
また，本発明に係る前記サーバは，前記無線ＬＡＮアクセスポイントから移動位置情報の算出要求が通知されると，移動位置情報の算出要求に含まれる前記無線端末の位置情報と電波強度並びに前記無線ＬＡＮアクセスポイントの位置情報から，前記無線ＬＡＮアクセスポイントを移動させた時の前記無線端末の電波強度全てが電波強度の許容範囲に収まる前記レール上の位置を移動位置情報として算出し，移動位置情報の算出要求を通知した前記無線ＬＡＮアクセスポイントへ移動位置情報を送信する移動位置算出部を備える。
【発明の効果】
【００１３】
上述した本発明によれば，何らかの原因で，無線端末が設置されている場所の無線ＬＡＮ環境が悪化し，無線ＬＡＮアクセスポイントが測定した無線端末の電波強度が規定値未満になると，無線端末および無線ＬＡＮアクセスポイントそれぞれは位置情報を検出し，サーバは，無線端末の電波強度が電波強度の許容範囲に収まる位置を無線ＬＡＮアクセスポイントの移動位置情報として算出する。本発明に係る無線ＬＡＮアクセスポイントは移動機構を有しているため，サーバが算出した移動位置情報で示される位置に移動可能で，無線ＬＡＮアクセスポイントがこの位置に移動することで，無線ＬＡＮ環境が悪化した場所の無線ＬＡＮ環境を改善できる。
【図面の簡単な説明】
【００１４】
【図１】本実施形態に係るＡＰシステムの構成を説明する図。
【図２】本実施形態に係るＡＰシステムの概要を示すブロック図。
【図３】本実施形態のＡＰシステムで実行される一連の手順について説明する図。
【図４】障害物の発生により無線ＬＡＮ環境が悪化する例を説明する図。
【図５】無線端末の増設により無線ＬＡＮ環境が悪化する例を説明する図。
【図６】ＡＰの故障により無線ＬＡＮ環境が悪化する例を説明する図。
【発明を実施するための形態】
【００１５】
ここから，本発明の好適な実施形態を記載する。なお，以下の記載は本発明の範囲を束縛するものでなく，理解を助けるために記述するものである。
【００１６】
図１は，本実施形態に係る無線ＬＡＮアクセスポイントシステム１（以下，「ＡＰシステム１」と記す。）の構成を説明する図で，図２は，本実施形態に係るＡＰシステム１の概要を示すブロック図である。
【００１７】
本実施形態に係るＡＰシステム１は，何らかの原因で，無線端末３が設置されている場所の無線ＬＡＮ環境が弱くなると，この場所の無線ＬＡＮ環境が改善する方向にＡＰ２が自動的に移動することで，この場所の無線ＬＡＮ環境を改善するように開発されたシステムである。
【００１８】
図１に図示したように，本実施形態に係るＡＰシステム１は，無線ＬＡＮ５ａを構築するＡＰ２と，無線ＬＡＮ５ａを利用してＡＰ２にアクセスする無線端末３と，有線ＬＡＮ５ｂを利用してＡＰ２と接続しているサーバ４とから少なくとも構成され，図１において，ＡＰ２は工場のフロア７の天井に設置され，無線端末３は生産装置７ａと接続している。
【００１９】
本実施形態に係るＡＰシステム１を構成するＡＰ２は，電波を利用して通信する無線ＬＡＮ５ａを構築し，無線ＬＡＮ５ａと有線ＬＡＮ５ｂ間の通信を中継するコンピュータ機器で，本発明に必要な機能を市販の無線ＬＡＮアクセスポイントや無線ＬＡＮルータに追加した装置になる。
【００２０】
図２に図示したように，本実施形態のＡＰ２は，アクセスポイント制御部２０，無線通信部２１，電波強度測定部２２，有線通信部２３，アクセスポイント位置検出部２４および移動機構部２５を備え，ＡＰ２は，有線ＬＡＮ５ｂを介してサーバ４と接続し，無線ＬＡＮ５ａを介して無線端末３と接続する。
【００２１】
ＡＰ２の無線通信部２１は，無線によるデータ通信が行えるようにＡＰ２に備えられる機能で，ＡＰ２の無線通信部２１は，アンテナ，無線端末３に送信するデータを電波に変調する回路と，無線端末３から受信した電波を復調する回路などによって構成される送受信回路である。ＡＰ２の有線通信部２３は，有線によるネットワーク通信が行えるようにＡＰ２に備えられる機能で，ＡＰ２の有線通信部２３は，物理的なネットワークインターフェース，有線ＬＡＮ５ｂに送信するデータを電気信号に変調する回路と，有線ＬＡＮ５ｂを介して受信した電気信号を復調する回路などによって構成される送受信回路である。
【００２２】
ＡＰ２の電波強度測定部２２は，無線端末３が設置されている場所の無線ＬＡＮ環境を把握できるようにＡＰ２に備えられる機能で，無線通信部２１のアンテナに誘起された電圧から，無線端末３から受信した電波の電波強度を測定する。
【００２３】
ＡＰ２のアクセスポイント位置検出部２４は，ＡＰ２の位置を検出するためにＡＰ２に備えられた機能である。ＡＰ２の位置を検出する具体的な手法としては，ＧＰＳ（Global Positioning system）を用いるとよい。
【００２４】
ＡＰ２の移動機構部２５は，ＡＰ２が自立的に移動できるためにＡＰ２に備えられた機能である。本実施形態では，フロア７の天井にＡＰ２が走向するレール６を設け，レール６に沿って走行するための車輪と，車輪を回動させるモータと，モータを制御する電気回路等によってＡＰ２の移動機構部２５を実現している。
【００２５】
ＡＰ２のアクセスポイント制御部２０は，ＡＰ２を制御するためにＡＰ２に備えられた機能である。具体的に，ＡＰ２のアクセスポイント制御部２０はＣＰＵで，ＡＰ２に実装されたコンピュータプログラムに従い，予め定められた動作を行う。本実施形態において，ＡＰ２のアクセスポイント制御部２０は，周期的にビーコン信号を発信し，無線端末３からビーコン信号の応答を受信すると，電波強度測定部２２から電波強度を取得し，電波強度が規定値未満の無線端末３がある場合，ビーコン信号の応答を送信した全ての無線端末３に位置情報の送信要求を通知し，無線端末３から無線端末３の位置情報を受信すると，アクセスポイント位置検出部２４を用いてＡＰ２の位置情報を検出し，ビーコン信号の応答を送信した全ての無線端末３の位置情報と電界強度並びにＡＰ２の位置情報を含む移動位置情報の算出要求をサーバ４に通知し，サーバ４から移動位置情報を受信すると，アクセスポイント位置検出部２４を利用し，ＡＰ２の位置がサーバ４から受信した移動位置情報で示される位置に移動するように移動機構部２５を制御する動作を行う。なお，ビーコン信号とは，無線端末３のスキャニングなどに用いられる信号で，ビーコン信号の詳細についてはＩＥＥＥ８０２．１１で規格化されている。
【００２６】
本実施形態に係るＡＰシステム１を構成する無線端末３は，生産装置７ａが無線通信できるように設けられた装置で，無線ＬＡＮインターフェースを内蔵したパーソナルコンピュータなどの市販の装置に本発明に必要な機能を追加した装置になる。無線端末３は，無線ＬＡＮ５ａを介してＡＰ２と接続し，図２に図示したように，端末制御部３０，無線通信部３１および端末位置検出部３２を備える。
【００２７】
無線端末３の無線通信部３１は，ＡＰ２と接続するために備えられる機能で，無線端末３の無線通信部３１は，アンテナ，無線端末３に送信するデータを電波に変調する回路と，無線端末３から受信した電波を復調する回路などによって構成される送受信回路である。
【００２８】
無線端末３の端末位置検出部３２は，無線端末３の位置情報を検出するために無線端末３に備えられた機能である。位置情報を検出する具体的な手法としては，ＧＰＳ（Global Positioning system）を用いるとよい。
【００２９】
無線端末３の端末制御部３０は，無線端末３を制御するために無線端末３に備えられた機能である。具体的に，無線端末３の端末制御部３０はＣＰＵで，無線端末３に実装されたコンピュータプログラムに従い，予め定められた動作を行う。本実施形態において，無線端末３の端末制御部３０は，ＡＰ２からビーコン信号を受信すると，ビーコン信号に対応する応答をＡＰ２へ送信し，ＡＰ２から位置情報の送信要求を受信すると，端末位置検出部３２を用いて検出した無線端末３の位置情報をＡＰ２へ送信する動作を行う。
【００３０】
本実施形態に係るＡＰシステム１を構成するサーバ４は，ＡＰ２の移動位置を演算するために設けられた装置で，市販のサーバ４に本発明に必要なコンピュータプログラムが実装された装置になる。サーバ４は有線ＬＡＮ５ｂを介してＡＰ２と接続し，図２に図示したように，サーバ４は移動位置算出部４０を備える。
【００３１】
サーバ４の移動位置算出部４０は，ＡＰ２の移動位置を算出するために備えられる機能である。具体的に，サーバ４の移動位置算出部４０はＣＰＵで，サーバ４に実装されたコンピュータプログラムに従い，予め定められた動作を行う。本実施形態において，サーバ４の移動位置算出部４０は，ＡＰ２から移動位置情報の算出要求が通知されると，移動位置情報の算出要求に含まれる無線端末３の位置情報と電波強度並びにＡＰ２の位置情報から，ＡＰ２を移動させた時の無線端末３の電波強度が許容範囲に収まるレール６上の位置を移動位置情報として算出し，移動位置情報の算出要求を通知したＡＰ２へ移動位置情報を送信する。
【００３２】
無線端末３とＡＰ２間の距離が近いほど，無線端末３が設置されている場所の無線ＬＡＮ環境が良好になるため，サーバ４の移動位置算出部４０は，電波強度が規定値未満になった無線端末３にＡＰ２を近づけるようにＡＰ２の移動位置情報を算出することになる。なお，本実施形態において，ＡＰ２はフロア７の天井に設置されたレール６上を移動可能なため，サーバ４の移動位置算出部４０は，フロア７の天井に設置されたレール６の位置情報を記憶し，サーバ４の移動位置算出部４０が算出する移動位置情報はレール６の位置情報に含まれることになる。
【００３３】
ここから，本実施形態のＡＰシステム１で実行される一連の手順について説明する。図３は，本実施形態のＡＰシステム１で実行される一連の手順について説明する図である。
【００３４】
ＡＰ２のアクセスポイント制御部２０は，ＡＰ２の無線通信部２１を利用して，周期的（例えば，９０ミリ秒毎）にビーコン信号を発信し（Ｓ１），ビーコン信号を受信した無線端末３はビーコン信号の応答を送信する（Ｓ２）。ＡＰ２のアクセスポイント制御部２０は，無線端末３からビーコン信号の応答を受信すると，ビーコン信号の応答を受信した時の電波強度を電波強度測定部２２から取得する（Ｓ３）。なお，無線ＬＡＮ５ａ内に複数の無線端末３がある場合，ＡＰ２は，複数の無線端末３からビーコン信号の応答を受信することになる。
【００３５】
次に，ＡＰ２のアクセスポイント制御部２０は，電波強度が規定値未満の無線端末３があるか確認し（Ｓ４），電波強度が規定値未満の無線端末３がなければ，無線ＬＡＮ環境が悪化した無線端末３がないと判定し，この手順は終了する。
【００３６】
また，電波強度が規定値未満の無線端末３がある場合，ＡＰ２のアクセスポイント制御部２０は，ビーコン信号の応答を送信した全ての無線端末３に対して，無線端末３の位置情報の送信要求を通知し（Ｓ５），位置情報の送信要求を受信した無線端末３の端末制御部３０は，無線端末３の端末位置検出部３２を作動させて無線端末３の位置情報を取得し（Ｓ６），無線端末３の無線通信部を利用して無線端末３の位置情報をＡＰ２へ送信する（Ｓ７）。
【００３７】
次に，ＡＰ２のアクセスポイント制御部２０は，ビーコン信号の応答を送信した全ての無線端末３から無線端末３の位置情報を受信すると（Ｓ８），アクセスポイント位置検出部２４を作動させて，ＡＰ２の位置情報を取得する（Ｓ９）。
【００３８】
次に，ＡＰ２のアクセスポイント制御部２０は，ビーコン信号の応答を送信した全ての無線端末３の位置情報と電界強度並びにＡＰ２の位置情報を含む移動位置情報の算出要求をサーバ４に通知する（Ｓ１０）。
【００３９】
サーバ４の移動位置算出部４０は，ＡＰ２から移動位置情報の算出要求が通知されると，移動位置情報の算出要求に含まれる無線端末３の位置情報と電波強度並びにＡＰ２の位置情報から，ＡＰ２を移動させた時の無線通信端末の電波強度全てが許容範囲に収まるレール６上の位置を移動位置情報として算出し（Ｓ１１），移動位置情報の算出要求を通知したＡＰ２に移動位置情報を送信する（Ｓ１２）。
【００４０】
なお，電波の損失は距離の二乗に反比例するため，移動位置情報の算出要求に含まれる無線端末３とＡＰ２の位置情報から無線端末３とＡＰ２間の距離を求め，この距離とＡＰ２を移動させた後の無線端末３とＡＰ２の距離の比と，移動位置情報の算出要求に含まれる無線端末３の電波強度から，ＡＰ２を移動させた後の無線端末３の電波強度を求めることができる。
【００４１】
ＡＰ２のアクセスポイント制御部２０は，サーバ４から移動位置情報が送信されると，ＡＰ２のアクセスポイント位置検出部２４を利用し，ＡＰ２の位置がサーバ４から送信された移動位置に移動するように移動機構部２５を制御して（Ｓ１３），この手順は終了する。
【００４２】
ここから，無線端末３が設置されている場所の無線ＬＡＮ環境が悪化する具体例を示しながら，上述したＡＰシステム１の動作について説明する。
【００４３】
図４は，障害物の発生により無線ＬＡＮ環境が悪化する例を説明する図で，図４では無線ＬＡＮ５ａは図示していない。図４に図示したように，ＡＰ２と無線端末３の間に障害物８（ここでは，フォークリフト）が出現すると、無線端末３が設置されている場所の無線ＬＡＮ環境が悪化する。
【００４４】
ビーコン信号の応答を送信した時の無線端末３の電波強度が規定値未満の場合，ＡＰ２は，移動位置情報の算出要求をサーバ４に通知し，サーバ４の移動位置算出部４０は，無線端末３が設置されている場所の無線ＬＡＮ環境が改善するようにＡＰ２の移動位置情報を算出し，ＡＰ２は，サーバ４が算出した移動位置情報で示される位置に移動する。図４では，無線端末３を一台としているため，サーバ４の移動位置算出部４０は，ＡＰ２が無線端末３に近づくように移動位置情報を算出し，ＡＰ２は無線端末３に近づくように移動する。
【００４５】
図５は，無線端末３の増設により無線ＬＡＮ環境が悪化する例を説明する図で，図５では無線ＬＡＮ５ａは図示していない。上述の実施形態では，無線端末３の台数を１台としていたが，本願発明は，無線端末３の台数を１台に限定するものではなく，工場のフロア７に設置する無線端末３の台数は複数台であってもよい。
【００４６】
図５の無線端末３ａは最初からフロア７に設置されている端末で，無線端末３ａのみが工場のフロア７に設置されている状態では，ＡＰ２の位置は無線端末３ａの近くになっている。図５の無線端末３ｂは増設された端末で，無線端末３ｂを増設した場所はＡＰ２から遠くなるため，無線端末３ａが設置されている場所と比較して，無線端末３ｂを増設した場所の無線ＬＡＮ環境は悪化する。
【００４７】
ビーコン信号の応答を送信した時の無線端末３ｂの電波強度が規定値未満の場合，ＡＰ２は，移動位置情報の算出要求をサーバ４に通知し，サーバ４の移動位置算出部４０は，無線端末３ｂが設置されている場所の無線ＬＡＮ環境が改善するようにＡＰ２の移動位置情報を算出し，ＡＰ２は，サーバ４が算出した移動位置情報で示される位置に移動する。図５では，サーバ４の移動位置算出部４０は，増設された無線端末３ｂにＡＰ２が近くなるように移動位置情報を算出し，ＡＰ２はフロア７の中心に移動する。
【００４８】
図６は，ＡＰ２の故障により無線ＬＡＮ環境が悪化する例を説明する図で，図６では無線ＬＡＮ５ａは図示していない。上述の実施形態では，ＡＰ２の台数を１台としていたが，本願発明は，ＡＰ２の台数を１台に限定するものではなく，工場のフロア７に設置するＡＰ２の台数は複数台であってもよい。
【００４９】
図６において，工場のフロア７の天井に所定の間隔を隔て２本のレール６ａ，６ｂを設置し，レール６ａ上にＡＰ２ａを設置し，レール６ｂ上にＡＰ２ｂを設置している。また，工場のフロア７に無線端末３ｃ，３ｄを設置し，無線端末３ｃはＡＰ２ａと接続し，無線端末３ｄはＡＰ２ｂと接続している。
【００５０】
無線端末３ｄと接続しているＡＰ２ｂが故障すると，無線端末３ｄとＡＰ２ｂの接続が切断するため，無線端末３ｄはもう一台のＡＰ２ａと接続することになるが，無線端末３ｄが設置されている場所はＡＰ２ａから遠くなるため，無線端末３ｃが設置されている場所と比較して，無線端末３ｄを設置した場所の無線ＬＡＮ環境は悪化することになる。
【００５１】
ビーコン信号の応答を送信した時の無線端末３ｄの電波強度が規定値未満の場合，ＡＰ２ａは，移動位置情報の算出要求をサーバ４に通知し，サーバ４の移動位置算出部４０は，無線端末３が設置されている場所の無線ＬＡＮ環境が改善するようにＡＰ２ａの移動位置情報を算出し，ＡＰ２ａは，サーバ４が算出した移動位置に移動する。図６では，サーバ４の移動位置算出部４０は，ＡＰ２ａが無線端末３ｄに近づく移動位置情報を算出し，図６では，ＡＰ２ａはフロア７の中心に移動している。
【００５２】
このように本発明によれば，何らかの原因で，無線端末３が設置されている場所の無線ＬＡＮ環境が悪化し，ＡＰ２が測定した無線端末３の電波強度が規定値未満になると，無線端末３およびＡＰ２それぞれは位置情報を検出し，サーバ４は，無線端末３の電波強度が電波強度の許容範囲に収まる位置をＡＰ２の移動位置情報として算出する。そして，ＡＰ２が，サーバ４が算出した移動位置情報で示される位置に移動することで，ＡＰ２の電波出力を調整することなく，無線ＬＡＮ環境が悪化した場所の無線ＬＡＮ環境を改善できる。
【符号の説明】
【００５３】
１    無線ＬＡＮアクセスポイント（ＡＰ）システム
２    無線ＬＡＮアクセスポイント（ＡＰ）
２０  アクセスポイント制御部
２１  無線通信部
２２  電波強度測定部
２３  有線通信部
２４  アクセスポイント位置検出部
２５  移動機構部
３    無線端末
３０  端末制御部
３１  無線通信部
３２  端末位置検出部
４    サーバ
４０  移動位置算出部
５ａ  無線ＬＡＮ
５ｂ  有線ＬＡＮ
６    レール
７    フロア
７ａ  生産装置
【図１】
2015082667.tif 000003
【図２】
2015082667.tif 000004
【図３】
2015082667.tif 000005
【図４】
2015082667.tif 000006
【図５】
2015082667.tif 000007
【図６】
2015082667.tif 000008